(57)【要約】【課題】  文字放送等の利用者からのデータ送信システムに関し、メッセージ入力、メッセージチェック、メッセージ送信、料金加算までを自動化し、コスト低減を図ることを目的としたシステムである。【解決手段】  インターネット網１を介して利用者と放送局を接続し、利用者からのデータ情報を送受信する。放送局側には、利用者と放送局を結び、データ情報適合判定及び料金加算を行うサーバ２、データ情報送信するために符号化する変換器３、放送プログラム信号とデータ情報を多重し、送信機５に供給する変調器４、電波を送出する送信機５、データ情報の送信確認を行うための受信機７、復調器１０を通し、送信されたデータ情報を元の符号に変換する変換器８、符号データ比較器９を有する。そして、一般視聴者は、受信機６にてデータ情報を受信することができる。【選択図】  図１
2005039806.tif 000002
【特許請求の範囲】
【請求項１】
利用者から要求されたデータ情報をテレビジョン信号と多重して放送配信するテレビジョン放送送信機であって、
インターネット網を介して、テレビジョン放送の視聴者が有する端末から受信した前記データ情報を記憶する記憶手段と、
受信した前記データ情報を前記テレビジョン信号と多重し多重信号を得る手段と、
前記多重信号を変調する手段と、
変調後の多重信号を送信する手段と、
を備えることを特徴とするテレビジョン放送送信機。
【請求項２】
前記データ情報が文字情報であることを特徴とする請求項１記載のテレビジョン放送送信機。
【請求項３】
前記受信した文字情報と予め用意した禁止用語とを比較する手段と、前記比較の結果、前記文字情報と禁止用語とが一致した場合、前記多重信号に当該文字情報を多重しないことを特徴とする請求項２記載のテレビジョン放送送信機。
【請求項４】
前記受信した文字情報が前記テレビジョン信号と多重して送信された場合、所定料金表に基づき前記視聴者に課金処理を行う手段を有することを特徴とする請求項１乃至３の何れか一に記載のテレビジョン放送送信機。
【請求項５】
前記送信手段から送信された多重信号を受信する手段と、前記受信した多重信号からデータ情報を分離する手段と、前記記憶手段に格納されたデータ情報と前記分離したデータ情報とを比較し送信したデータ情報の正常性を判定する手段と、を備えたことを特徴とする請求項１又は２の何れか一に記載のテレビジョン放送送信機。
【請求項６】
前記多重信号が一般視聴者に向けて放送されたあと、当該多重信号に含まれる前記データ情報の送信を要求した利用者の端末から再送信の要求を受け付ける手段と、
再送信の要求を受けた場合に前記記憶手段から当該要求のデータ情報を読み出し、当該データ情報に放送信号を多重して一般視聴者に向けて再度送信することを特徴とする請求項１記載のテレビジョン放送送信機。
【請求項７】
前記記憶手段は、前記インターネット網を介した一般視聴者からの閲覧要求を受け付け、当該視聴者に該当する前記データ情報を前記インターネット網を介して配信することを特徴とする請求項１または２記載のテレビジョン放送送信機。
【発明の詳細な説明】
【技術分野】
【０００１】
本発明は、一般視聴者等から受け付けたコンテンツを、テレビジョン信号に多重し、これを視聴者に向けて放送するテレビジョン放送送信機に関する。
【背景技術】
【０００２】
この種の放送事業者から提供される役務は、一般視聴者から要求を受けた単純な文字放送用のメッセージをテレビジョン信号に多重し配信するサービスとして知られている。
【０００３】
このとき、一般視聴者は、放送局に電話あるいはファクシミリでメッセージを伝え、オペレーターがこれを受け付けていた。
【０００４】
【特許文献１】特開２００１−２２８４０号公報
【発明の開示】
【発明が解決しようとする課題】
【０００５】
文字放送用のメッセージに限定されていることから利用者が放送配信するコンテンツも必然的に制限されることになる。利用者の立場で考えれば、広告情報、緊急又は災害情報等の種々のコンテンツを、テキスト形式、画像形式、あるいは画像とテキストの混合形式で依頼できたら便利であろう。
【０００６】
また、一般視聴者からコンテンツを受け付ける際には、オペレーターによるマニュアル処理を必要とすることから、このようなサービスを利用する側にとっては、手間がかかるわりに配信を依頼するデータの内容および媒体の何れにおいても制約が多く容易に利用することができなかった。
【０００７】
さらに、放送局側にとっても、マニュアル処理はオペレーターの人件費等のコストが負担となる。
【０００８】
そこで、本発明は、当該サービスのマニュアル処理を一掃し全面電子化対応できる技術の提供を第一の目的とする。また、利用者および視聴者の利便性を向上する技術の提供を第二の目的とする。
【課題を解決するための手段】
【０００９】
請求項１記載の発明によれば、利用者から要求されたデータ情報をテレビジョン信号と多重して放送配信するテレビジョン放送送信機であって、インターネット網を介して、テレビジョン放送の視聴者が有する端末から受信した前記データ情報を記憶する記憶手段と、受信した前記データ情報を前記テレビジョン信号と多重し多重信号を得る手段と、前記多重信号を変調する手段と、変調後の多重信号を送信する手段と、を備えることを特徴とするテレビジョン放送送信機を得ることができる。
【００１０】
請求項２記載の発明によれば、前記データ情報が文字情報であることを特徴とする請求項１記載のテレビジョン放送送信機を得ることができる。
【００１１】
請求項３記載の発明によれば、前記受信した文字情報と予め用意した禁止用語とを比較する手段と、前記比較の結果、前記文字情報と禁止用語とが一致した場合、前記多重信号に当該文字情報を多重しないことを特徴とする請求項２記載のテレビジョン放送送信機を得ることができる。
【００１２】
請求項４記載の発明によれば、前記受信した文字情報が前記テレビジョン信号と多重して送信された場合、所定料金表に基づき前記視聴者に課金処理を行う手段を有することを特徴とする請求項１乃至３の何れか一に記載のテレビジョン放送送信機を得ることができる。
【００１３】
請求項５記載の発明によれば、前記送信手段から送信された多重信号を受信する手段と、前記受信した多重信号からデータ情報を分離する手段と、前記記憶手段に格納されたデータ情報と前記分離したデータ情報とを比較し送信したデータ情報の正常性を判定する手段と、を備えたことを特徴とする請求項１又は２の何れか一に記載のテレビジョン放送送信機を得ることができる。
【００１４】
請求項６記載の発明によれば、前記多重信号が一般視聴者に向けて放送されたあと、当該多重信号に含まれる前記データ情報の送信を要求した利用者の端末から再送信の要求を受け付ける手段と、再送信の要求を受けた場合に前記記憶手段から当該要求のデータ情報を読み出し、当該データ情報に放送信号を多重して一般視聴者に向けて再度送信することを特徴とする請求項１記載のテレビジョン放送送信機を得ることができる。
【００１５】
請求項７記載の発明によれば、前記記憶手段は、前記インターネット網を介した一般視聴者からの閲覧要求を受け付け、当該視聴者に該当する前記データ情報を前記インターネット網を介して配信することを特徴とする請求項１または２記載のテレビジョン放送送信機を得ることができる。
【発明の効果】
【００１６】
第１の効果は、サービスの全面電子化にある。これにより放送事業者のコストを削減することができる。
【００１７】
第２の効果は、種々のデータ配信を可能としたことで、利用者のベネフィットを向上させ利用価値を高いものとすることができ、視聴者側も種々のコンテンツをテキストに限らず画像等の種々の形式で放送の提供を受けることができる。このサービスの向上は、放送事業者に更なる利益をもたらし全体としての相乗効果を飛躍的に向上させることができる。
【００１８】
第３の効果は、文字放送用メッセージについて、配信前に自動チェックを行うことで公序良俗違反となるものを排除することができる。
【発明を実施するための最良の形態】
【００１９】
次に、本発明の実施の形態について図面を参照して詳細に説明する。図１に示す通り、インターネット網１を介して利用者および一般視聴者と放送局を接続し、データ情報を送受信する。放送局側には、利用者と放送局を結び、メッセージ適合判定と料金加算と利用者から受信したデータ情報の蓄積を行うサーバ２と、データ情報を送信するために符号化する変換器３と、放送プログラム信号と前記データ情報を多重し、送信機５に供給する変調器４と、電波を送出する送信機５と、データ情報の送信確認を行うための受信機７と、復調器１０を通し、送信されたデータ情報を元の符号に変換する変換器８と、符号データ比較器９とを有する。そして、一般視聴者は、受信機６にてデータ情報を受信することができる。したがって、放送局は各種処理を行うサーバ２とデータ情報を送信するために符号化する変換器３と、放送用プログラムと多重化して変調する変調器４および 送信機５から成る。また、送信波を自局にて受信し、復調、逆変換を行って送出したデータ情報と受信したデータ情報の一致確認を行う。
【００２０】
次に図２に示すフローチャートに基づき本実施形態の動作を説明する。放送局においては、利用者からのデータ情報をテレビ放送に載せるためのホームページ等を開設していることが前提である。利用者はインターネット網１を介して放送局のホームページにアクセスし、利用者登録を行い、ＩＤ番号を取得する。その後、利用者はホームページにデータ情報、希望放送時間を記入し送信を行う。放送局サーバ２はＳ１〜Ｓ２の行程に従い、データ情報と放送希望日時を受け付ける。また、S１３において、過去の送信履歴を閲覧し、そして、自身の過去の送信済みデータを再送する場合には、再送したいデータをサーバ２の既送信済みデータ情報から選択する。放送局サーバ２では、Ｓ３においてデータ情報がメッセージ情報の場合にメッセージの内容チェックを行い、メッセージチェック結果および料金表示を利用者に通達する。メッセージ以外の情報の場合には当該ステップはチェックせずにスルーする。
【００２１】
また、メッセージチェックは放送法による禁止語句および放送事業者独自の放送倫理に基づいた語句を基準とし、それらの語句をサーバ２に記憶させておく。メッセージが入力されると前述の基準語句と比較し、不適切なメッセージがあれば利用者にアラームメッセージを送信する（Ｓ６）。またＳ４では、利用者の放送希望日時に空きあるか否かを判断し、重複していれば、利用者にアラームメッセージを送出する。
【００２２】
Ｓ３〜Ｓ４のチェックを通過したならば、Ｓ５、Ｓ７において利用者に放送データ内容・料金・放送予定日時等を再確認する。放送予定日時になると、サーバ２から符号化されたデータ情報を変換器３に送出し変換器３では次段の変調器４に適した形に符号化し、変調器４及び比較器９にデータを送出する。このとき、比較器９では、データ情報を保持しておき、ON AIR 後の確認に備える（Ｓ８）。変調器４では、放送用プログラムに文字放送用の符号化データを多重し、その多重データを送信機５から電波として発射する。これにより、一般視聴者の受信機６にて、放送用プログラムを視聴すると同時にデータ情報を見ることができる。受信機７では、発射されたデータ情報を放送局が受信し復調器１０にて復調する。その復調信号の中からデータ情報に関する部分を変換器８に送出する。変換器８では、受信データ情報を変換器３で変換した符号データと同一フォーマットに変換し、そのデータを比較器９に送出する。比較器９では、Ｓ１０に示すように、保持していた送信データ情報と受信したデータ情報の比較を行い、送信が正常に終了したことを確認する。
【００２３】
最後に、比較器９からサーバ２へ送信完了の情報を送出し、サーバ２から利用者へ送信完了のＥメールを送出するとともに料金を加算する。もし、送信異常があった場合には、データ情報の送信を反復する。
【００２４】
次に、図３を用いてサーバ２の構成について説明する。図３に示すとおり、インターネット網を介して利用者および一般視聴者は放送局と接続し、放送局側のサーバ２にアクセスする。
【００２５】
放送局側のサーバ２では、過去の放送済みデータ情報を蓄積しており、利用者および一般視聴者は自由に閲覧することができる。本実施の形態では、利用者のみＩＤによるログインにより利用することができる利用者個人ＢＯＸと、一般に公開される２日前のデータ情報、１日前のデータ情報、本日のデータ情報、ジャンル別情報からなる、大別して２つのカテゴリーに分類できる。利用者個人ＢＯＸは、利用者が再送する場合等に利用される。一般視聴者が利用できるのは後者のデータ情報ＢＯＸに限定され、インターネット網を介して好きなときにアクセスすることができる。
【図面の簡単な説明】
【００２６】
【図１】本発明の実施形態を適用したシステム構成図である。
【図２】本実施形態におけるフローチャートを示す。
【図３】本実施形態における放送局側のサーバの構成を示す。
【符号の説明】
【００２７】
１  インターネット網
２  サーバ
３  変換器（送信用）
４  変調器
５  送信機
６  受信機（一般視聴者用）
７  受信機（放送局）
【図１】
2005039806.tif 000003
【図２】
2005039806.tif 000004
【図３】
2005039806.tif 000005